(57)【要約】      （修正有）【課題】貨幣処理装置の操作性を確保しつつ、貨幣の受入部からの異物の侵入を抑制する貨幣処理装置、貨幣処理方法、貨幣処理システムを提供する。【解決手段】硬貨釣銭機の１日の運用の終了時に行う売上金の回収処理により硬貨受入部が備えるシャッタを閉じるように制御して、翌営業日の立ち上げ時に釣銭準備金の補充処理を行う必要がある場合にはシャッタを開けるように制御し、釣銭準備金の補充処理を行う必要がない場合には商品の決済処理を開始する直前に受け付ける操作に応じてシャッタを開けるよう制御するようにした。【選択図】図１
2016143084.tif 000002
【特許請求の範囲】
【請求項１】
所定の管理装置と通信可能に併設されるとともに、上方に向けて開口した所定の貨幣投入口を有し、該貨幣投入口から貨幣を受け入れたならば、受け入れた貨幣の金種識別処理及び貨幣の数量の計数処理を行って装置内部に設けられた貨幣収納部に収納する貨幣処理装置であって、
前記貨幣投入口の上方に設けられた開閉可能なシャッタと、
前記シャッタが開状態にあるか閉状態にあるかを検知する検知部と、
前記検知部により前記シャッタの閉状態が検知されたことを条件として、閉状態での所定の処理を実行する閉状態制御部と
を備えたことを特徴とする貨幣処理装置。
【請求項２】
前記閉状態制御部は、
前記検知部により前記シャッタの閉状態が検知されたことを条件として、前記貨幣収納部に収納されている貨幣を繰り出して、繰り出した貨幣を識別するとともに枚数を計数して、計数が終了した貨幣を前記貨幣収納部に再度収納する処理を実行する
ことを特徴とする請求項１に記載の貨幣処理装置。
【請求項３】
前記閉状態制御部は、
前記検知部により前記シャッタの閉状態が検知されたことを条件として、当該貨幣処理装置の精算処理を実行する
ことを特徴とする請求項１又は２に記載の貨幣処理装置。
【請求項４】
前記検知部により前記シャッタの開状態が検知されたことを条件として、開状態での所定の処理を実行する開状態制御部と
を備えたことを特徴とする請求項１、２又は３に記載の貨幣処理装置。
【請求項５】
前記開状態制御部は、
前記検知部により前記シャッタの開状態が検知されたことを条件として、前記貨幣投入口に投入された貨幣を前記貨幣収納部に収納する処理を実行する
ことを特徴とする請求項４に記載の貨幣処理装置。
【請求項６】
前記シャッタを閉鎖するシャッタ駆動部
をさらに備え、
前記閉状態制御部は、
前記検知部により前記シャッタの開状態が検知された場合には、前記シャッタ駆動部により前記シャッタを閉じた後に前記閉状態での所定の処理を実行する
ことを特徴とする請求項１〜５のいずれか一つに記載の貨幣処理装置。
【請求項７】
前記シャッタを開放するシャッタ駆動部
をさらに備え、
前記開状態制御部は、
前記検知部により前記シャッタの閉状態が検知された場合には、前記シャッタ駆動部により前記シャッタを開けた後に前記開状態での所定の処理を実行する
ことを特徴とする請求項４又は５に記載の貨幣処理装置。
【請求項８】
前記シャッタを閉じる操作を促す情報を表示する情報表示部
をさらに備え、
前記閉状態制御部は、
前記検知部により前記シャッタの開状態が検知された場合には、前記情報表示部により前記シャッタを閉じる操作を促す情報を表示し、前記検知部により前記シャッタの閉状態が検知されたならば、前記閉状態での所定の処理を実行する
ことを特徴とする請求項１〜５のいずれか一つに記載の貨幣処理装置。
【請求項９】
前記シャッタを開ける操作を促す情報を表示する情報表示部
をさらに備え、
前記開状態制御部は、
前記検知部により前記シャッタの閉状態が検知された場合には、前記情報表示部により前記シャッタを開ける操作を促す情報を表示し、前記検知部により前記シャッタの開状態が検知されたならば、前記開状態での所定の処理を実行する
ことを特徴とする請求項４又は５に記載の貨幣処理装置。
【請求項１０】
前記貨幣収納部に収納される貨幣の不足を判定する判定部と、
前記判定部により前記貨幣収納部に収納される貨幣が不足していると判定された場合には前記シャッタ駆動部により前記シャッタを開ける判定後処理部と
をさらに備えたことを特徴とする請求項７に記載の貨幣処理装置。
【請求項１１】
前記貨幣収納部に収納される貨幣の不足を判定する判定部と、
前記判定部により前記貨幣収納部に収納される貨幣が不足していると判定された場合には前記情報表示部により前記シャッタを開ける操作を促す情報を表示する判定後処理部と
をさらに備えたことを特徴とする請求項９に記載の貨幣処理装置。
【請求項１２】
販売された商品の種類及び数量の登録を行う管理装置と、前記管理装置と通信可能に併設されるとともに、上方に向けて開口した所定の貨幣投入口を有し、該貨幣投入口から貨幣を受け入れたならば、受け入れた貨幣の金種識別処理及び貨幣の数量の計数処理を行って装置内部に設けられた貨幣収納部に収納する貨幣処理装置とを有する貨幣処理システムであって、
前記管理装置は、
実施する処理の指示を受け付ける指示受付部と、
前記指示受付部により受け付けた実施する処理の指示に基づいて前記貨幣処理装置に対応する情報を送信する送信部と
を備え、
前記貨幣処理装置は、
前記貨幣投入口の上方に設けられた開閉可能なシャッタと、
前記シャッタの開状態にあるか閉状態にあるかを検知する検知部と、
前記管理装置から送信された情報に基づいて前記シャッタが閉状態で実施する閉状態での処理であるか否かの判定を行う判定部と、
前記検知部により前記シャッタの閉状態が検知されたことを条件として、閉状態での処理を実行する閉状態制御部と
を備えたことを特徴とする貨幣処理システム。
【請求項１３】
所定の管理装置と通信可能に併設されるとともに、上方に向けて開口した所定の貨幣投入口を有し、該貨幣投入口から貨幣を受け入れたならば、受け入れた貨幣の金種識別処理及び貨幣の数量の計数処理を行って装置内部に設けられた貨幣収納部に収納する貨幣処理装置における貨幣処理方法であって、
前記貨幣投入口の上方に設けられた開閉可能なシャッタが閉状態にあることを検知する検知ステップと、
前記検知ステップにより前記シャッタの閉状態が検知されたことを条件として、閉状態での所定の処理を実行する閉状態制御ステップと
を含んだことを特徴とする貨幣処理方法。
【発明の詳細な説明】
【技術分野】
【０００１】
この発明は、スーパーマーケット及びコンビニエンスストア等の商業施設において、商品代金の決済に伴う貨幣の収納及び釣銭の払い出しを行う貨幣処理装置、貨幣処理システム及び貨幣処理方法に関する。
【背景技術】
【０００２】
従来、商業施設の店舗に配設されるＰＯＳ（Point of Sale）レジスタには、顧客から受け付けた貨幣を収納し、必要に応じて釣銭を払い出す貨幣処理装置が併設されている。例えば、特許文献１には、貨幣を受け入れて、受け入れた貨幣を識別及び計数し、識別及び計数された貨幣を金種別に収納し、収納されている貨幣を１枚ずつ繰り出し、繰り出された貨幣を外部から取り出し可能に払い出す貨幣処理装置が開示されている。
【０００３】
かかる貨幣処理装置は、貨幣が投入しやすくなるように貨幣を投入する受入部が上方に向けて開口した形状となっていることが多い。特に硬貨の受入部については、通常上方に向けて開口した形状となっている。
【先行技術文献】
【特許文献】
【０００４】
【特許文献１】特開２０１３−０１６０５８号公報
【発明の概要】
【発明が解決しようとする課題】
【０００５】
しかしながら、受入部が上方に向けて開口した形状であると、受入部に異物が入りやすくなり、この異物によりトラブルが生ずるという問題がある。例えば、受入部にゴミ等の大きな異物が入ると、受け入れた貨幣の繰り出し不良などが生じ、また、埃などの小さな異物が入ると、受入部に設けられたセンサ又は搬送路に設けられたセンサに異物が付着してセンサ不良などが生ずる。また、空気中に油分が浮遊している環境（レストラン等）に貨幣処理装置が設置される場合には、受入口から侵入した空気中の油分が装置内の各所に浸透し、様々な故障の原因となる。
【０００６】
このため、かかる受入部を下方に向けて開口した形状とすることも考えられるが、このような形状としたのでは、貨幣を挿入する際の操作性が低下するという問題が生じる。
【０００７】
これらのことから、貨幣処理装置の操作性を確保しつつ、貨幣の受入部からの異物の侵入をいかにして抑制して貨幣処理装置の故障の発生率を低減するかが重要な課題となっている。
【０００８】
本発明は、上述した従来技術の課題を解決するためのものであって、貨幣処理装置の操作性を確保しつつ、貨幣の受入部からの異物の侵入を抑制することができる貨幣処理装置、貨幣処理システム及び貨幣処理方法を提供することを目的とする。
【課題を解決するための手段】
【０００９】
上述した課題を解決し、目的を達成するため、本発明は、所定の管理装置と通信可能に併設されるとともに、上方に向けて開口した所定の貨幣投入口を有し、該貨幣投入口から貨幣を受け入れたならば、受け入れた貨幣の金種識別処理及び貨幣の数量の計数処理を行って装置内部に設けられた貨幣収納部に収納する貨幣処理装置であって、前記貨幣投入口の上方に設けられた開閉可能なシャッタと、前記シャッタが開状態にあるか閉状態にあるかを検知する検知部と、前記検知部により前記シャッタの閉状態が検知されたことを条件として、閉状態での所定の処理を実行する閉状態制御部とを備えたことを特徴とする。
【００１０】
また、本発明は、上記発明において、前記閉状態制御部は、前記検知部により前記シャッタの閉状態が検知されたことを条件として、前記貨幣収納部に収納されている貨幣を繰り出して、繰り出した貨幣を識別するとともに枚数を計数して、計数が終了した貨幣を前記貨幣収納部に再度収納する処理を実行することを特徴とする。
【００１１】
また、本発明は、上記発明において、前記閉状態制御部は、前記検知部により前記シャッタの閉状態が検知されたことを条件として、当該貨幣処理装置の精算処理を実行することを特徴とする。
【００１２】
また、本発明は、上記発明において、前記検知部により前記シャッタの開状態が検知されたことを条件として、開状態での所定の処理を実行する開状態制御部とを備えたことを特徴とする。
【００１３】
また、本発明は、上記発明において、前記開状態制御部は、前記検知部により前記シャッタの開状態が検知されたことを条件として、前記貨幣投入口に投入された貨幣を前記貨幣収納部に収納する処理を実行することを特徴とする。
【００１４】
また、本発明は、上記発明において、前記シャッタを閉鎖するシャッタ駆動部をさらに備え、前記閉状態制御部は、前記検知部により前記シャッタの開状態が検知された場合には、前記シャッタ駆動部により前記シャッタを閉じた後に前記閉状態での所定の処理を実行することを特徴とする。
【００１５】
また、本発明は、上記発明において、前記シャッタを開放するシャッタ駆動部をさらに備え、前記開状態制御部は、前記検知部により前記シャッタの閉状態が検知された場合には、前記シャッタ駆動部により前記シャッタを開けた後に前記開状態での所定の処理を実行することを特徴とする。
【００１６】
また、本発明は、上記発明において、前記シャッタを閉じる操作を促す情報を表示する情報表示部をさらに備え、前記閉状態制御部は、前記検知部により前記シャッタの開状態が検知された場合には、前記情報表示部により前記シャッタを閉じる操作を促す情報を表示し、前記検知部により前記シャッタの閉状態が検知されたならば、前記閉状態での所定の処理を実行することを特徴とする。
【００１７】
また、本発明は、上記発明において、前記シャッタを開ける操作を促す情報を表示する情報表示部をさらに備え、前記開状態制御部は、前記検知部により前記シャッタの閉状態が検知された場合には、前記情報表示部により前記シャッタを開ける操作を促す情報を表示し、前記検知部により前記シャッタの開状態が検知されたならば、前記開状態での所定の処理を実行することを特徴とする。
【００１８】
また、本発明は、上記発明において、前記貨幣収納部に収納される貨幣の不足を判定する判定部と、前記判定部により前記貨幣収納部に収納される貨幣が不足していると判定された場合には前記シャッタ駆動部により前記シャッタを開ける判定後処理部とをさらに備えたことを特徴とする。
【００１９】
また、本発明は、上記発明において、前記貨幣収納部に収納される貨幣の不足を判定する判定部と、前記判定部により前記貨幣収納部に収納される貨幣が不足していると判定された場合には前記情報表示部により前記シャッタを開ける操作を促す情報を表示する判定後処理部とをさらに備えたことを特徴とする。
【００２０】
また、本発明は、販売された商品の種類及び数量の登録を行う管理装置と、前記管理装置と通信可能に併設されるとともに、上方に向けて開口した所定の貨幣投入口を有し、該貨幣投入口から貨幣を受け入れたならば、受け入れた貨幣の金種識別処理及び貨幣の数量の計数処理を行って装置内部に設けられた貨幣収納部に収納する貨幣処理装置とを有する貨幣処理システムであって、前記管理装置は、実施する処理の指示を受け付ける指示受付部と、前記指示受付部により受け付けた実施する処理の指示に基づいて前記貨幣処理装置に対応する情報を送信する送信部とを備え、前記貨幣処理装置は、前記貨幣投入口の上方に設けられた開閉可能なシャッタと、前記シャッタの開状態にあるか閉状態にあるかを検知する検知部と、前記管理装置から送信された情報に基づいて前記シャッタが閉状態で実施する閉状態での処理であるか否かの判定を行う判定部と、前記検知部により前記シャッタの閉状態が検知されたことを条件として、閉状態での処理を実行する閉状態制御部とを備えたことを特徴とする。
【００２１】
また、本発明は、所定の管理装置と通信可能に併設されるとともに、上方に向けて開口した所定の貨幣投入口を有し、該貨幣投入口から貨幣を受け入れたならば、受け入れた貨幣の金種識別処理及び貨幣の数量の計数処理を行って装置内部に設けられた貨幣収納部に収納する貨幣処理装置における貨幣処理方法であって、前記貨幣投入口の上方に設けられた開閉可能なシャッタが閉状態にあることを検知する検知ステップと、前記検知ステップにより前記シャッタの閉状態が検知されたことを条件として、閉状態での所定の処理を実行する閉状態制御ステップとを含んだことを特徴とする。
【発明の効果】
【００２２】
本発明によれば、上方に向けて開口した所定の貨幣投入口の上方に開閉可能なシャッタを備え、シャッタが開状態にあるか閉状態にあるかを検知し、前記シャッタの閉状態が検知されたことを条件として、閉状態での所定の処理を実行するよう構成したので、貨幣処理装置の操作性を確保しつつ、貨幣の受入部からの異物の侵入を抑制することができる。
【図面の簡単な説明】
【００２３】
【図１】図１は、本発明に係る硬貨釣銭機のシャッタの開閉に係る制御の概要を示す図である。
【図２】図２は、本実施例に係るＰＯＳレジスタ、硬貨釣銭機、紙幣釣銭機及び棒金収納機の外観構成を示す図である。
【図３】図３は、図２に示したＰＯＳレジスタ、硬貨釣銭機、紙幣釣銭機及び棒金収納機の本実施例に係る装置内部の物理構成を示す図である。
【図４】図４は、図２に示した硬貨釣銭機、紙幣釣銭機及び棒金収納機の本実施例に係る機能的な内部構成を示すブロック図である。
【図５】図５は、図２に示したＰＯＳレジスタの本実施例に係る機能的な内部構成を示すブロック図である。
【図６】図６は、図４に示した硬貨釣銭機、紙幣釣銭機及び棒金収納機の本実施例に係るデータ構成について説明するための説明図である。
【図７】図７は、図５に示したＰＯＳレジスタの本実施例に係るデータ構成について説明するための説明図である。
【図８】図８は、図２に示した硬貨釣銭機における自動精査処理時に表示される画面構成及び処理実行に伴う画面遷移を示す図である。
【図９】図９は、図２に示した硬貨釣銭機における精算処理時に表示される画面構成及び処理実行に伴う画面遷移を示す図である。
【図１０】図１０は、図２に示した硬貨釣銭機の立ち上げ時に表示される画面構成及び立ち上げ時の処理に伴う画面遷移を示す図である。
【図１１】図１１は、図２に示した硬貨釣銭機における自動精査処理時の処理手順を示すフローチャートである。
【図１２】図１２は、図２に示した硬貨釣銭機における精算処理時の処理手順を示すフローチャートである。
【図１３】図１３は、図２に示した硬貨釣銭機の立ち上げ時の処理の処理手順を示すフローチャートである。
【図１４】図１４は、図２に示した硬貨釣銭機のフル検知センサによりいずれかの硬貨収納部のフルが検知された場合にフル検知状態を回避するための処理の処理手順を示すフローチャートである。
【発明を実施するための形態】
【００２４】
以下に、添付図面を参照して、本発明に係る貨幣処理装置、貨幣処理システム及び貨幣処理方法の好適な実施例を詳細に説明する。
【実施例】
【００２５】
まず、本発明に係る硬貨釣銭機１００のシャッタ１１５の開閉に係る制御の概要について図１を用いて説明する。硬貨釣銭機１００は、顧客から受け付けた硬貨を投入する硬貨受入部１１４を有しており、硬貨受入部１１４には手動で開閉可能で、開状態若しくは閉状態でロック可能な、硬貨受入部１１４へのアクセスを遮断するシャッタ１１５を備えている。
【００２６】
シャッタ１１５は、営業時間中は開けられた状態で運用される。閉店後に、売上金の回収である精算処理を受け付けると、ＰＯＳレジスタ３００は、硬貨釣銭機１００及び紙幣釣銭機２００に対して売上金の回収指示を通知する。硬貨釣銭機１００は、売上金の回収指示を受け付けると、シャッタ１１５のクローズ処理を行う。具体的には、シャッタ１１５のロックを解除して、硬貨釣銭機１００の表示部１１２にシャッタ１１５を閉じることを促すメッセージの表示を行い、シャッタ１１５が閉じられたならばシャッタ１１５が閉じられた状態でロックを行う。このようにシャッタ１１５が閉じられた状態になったならば、ＰＯＳレジスタ３００の指示に基づいて売上金の回収を行う。回収の処理が終了後にもシャッタ１１５は閉じられたままとする。
【００２７】
開店前にＰＯＳレジスタ３００、接続される硬貨釣銭機１００及び紙幣釣銭機２００に電源が投入されると、硬貨釣銭機１００は、釣銭準備金の補充の要否の判定を行う。具体的には、前日の売上金の回収処理で内部に収納されていた硬貨が全て回収された場合には、内部に硬貨は残されていないことから釣銭準備金の補充を行わなければならないと判定する。また、前日の売上金の回収処理で釣銭準備金を残置して回収している場合であっても、残置した硬貨の量では不足している場合にも釣銭準備金の補充を行わなければならないと判定する。
【００２８】
この、釣銭準備金の補充の要否の判定により釣銭準備金の補充が必要と判定された場合には、シャッタ１１５のオープン処理を行う。具体的には、シャッタ１１５のロックを解除して、硬貨釣銭機１００の表示部１１２にシャッタ１１５を開けることを促すメッセージの表示を行い、シャッタ１１５が開けられたならばシャッタ１１５が開けられた状態でロックを行う。その後に釣銭準備金の補充処理が行われることによって開店前の処理を終了する。
【００２９】
一方、釣銭準備金の補充の要否の判定において、釣銭準備金の補充が不要と判定された場合には、操作者によるシャッタ１１５のオープンを指示する操作を受け付けるまでは、シャッタ１１５のオープン処理を行わない。その場合には、営業が開始後のＰＯＳレジスタ３００を使用する直前のタイミングにおいてシャッタ１１５のオープンを指示する操作を受け付けたならばシャッタ１１５のオープン処理を行う。これによりＰＯＳレジスタ３００、硬貨釣銭機１００及び紙幣釣銭機２００は、商品の決済処理に使用可能な状態となる。
【００３０】
このように、硬貨釣銭機１００の１日の運用の終了時に行う売上金の回収処理により硬貨受入部１１４が備えるシャッタ１１５を閉じるように制御して、翌営業日の立ち上げ時に釣銭準備金の補充処理を行う必要がある場合にはシャッタ１１５を開けるように制御し、釣銭準備金の補充処理を行う必要がない場合には商品の決済処理を開始する直前に受け付ける操作に応じてシャッタ１１５を開けるよう制御するようにしたので、貨幣処理装置の操作性を確保しつつ、貨幣の受入部からの異物の侵入を抑制することができる。
【００３１】
次に、本実施例に係るＰＯＳレジスタ３００、硬貨釣銭機１００、紙幣釣銭機２００及び棒金収納機４００の外観構成について図２を用いて説明する。図２（ａ）は、ＰＯＳレジスタ３００の外観構成を示すための斜視図で、図２（ｂ）はＰＯＳレジスタ３００に接続される硬貨釣銭機１００、紙幣釣銭機２００及び棒金収納機４００の外観構成を示す斜視図である。
【００３２】
図２（ａ）に示すようにＰＯＳレジスタ３００は、硬貨釣銭機１００や紙幣釣銭機２００における硬貨や紙幣の処理状況や、硬貨釣銭機１００や紙幣釣銭機２００で受け付けた硬貨や紙幣の預かり額や決済対象の商品の一覧などを表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａと、レシートを発行するプリンタ３０６と、商品などのバーコードを読み取るバーコードリーダ３０８と、ＰＯＳレジスタ３００を操作する担当者のカード等の情報を読み取るスリット状のカードリーダ３１０とを有する。
【００３３】
また、図２（ｂ）に示すように硬貨釣銭機１００は、前部上面に硬貨釣銭機１００及び紙幣釣銭機２００の機内の金種別の貨幣の在高等の表示を行う表示部１１２と、表示部１１２に表示される画面の下部に配置される各種指示を行うファンクションボタンに対応付けられる操作部１１３と、顧客から受け付けた硬貨を投入する硬貨受入部１１４を備え、前部に釣銭硬貨を払い出す硬貨払出部１１６が設けられている。硬貨受入部１１４は、受け入れた硬貨を１層１列状態で１枚ずつ機体内に取り込む。また、硬貨受入部１１４の開口部分に手動で開閉可能なシャッタ１１５が設けられている。このシャッタ１１５が開かれた状態において硬貨受入部１１４に貨幣を投入することができるが、シャッタ１１５が閉じられた状態では硬貨受入部１１４に貨幣を投入することはできない。また、シャッタ１１５にはロック機構が設けられており、開いた状態でロックしたり、閉じた状態でロックすることができる。このシャッタ１１５は、通常の商品の決済処理中には開けた状態で運用し、後述する自動精査処理中は閉鎖されるように制御される。また、閉店後の精算処理においても閉鎖されるように制御され、翌営業日の装置立上時等に開けるように制御される。
【００３４】
また、図２（ｂ）に示すように紙幣釣銭機２００は、前面には、紙幣受入口２１４ａと、紙幣取出口２１６ａとを備えている。また、売上金の回収時に使用する回収カセット２０７は筐体に対して着脱自在に取り付けられている。
【００３５】
また、図２（ｂ）に示すように、棒金収納機４００は硬貨釣銭機１００の下に配置され、装置手前に引き出すことが可能な棒金収納部４０１を備えている。
【００３６】
図２（ｂ）に示すように、硬貨釣銭機１００と棒金収納機４００とが上下に重ねて配置され、硬貨釣銭機１００及び棒金収納機４００の横に並べて紙幣釣銭機２００が配置されると、硬貨釣銭機１００及び紙幣釣銭機２００の上面は同じ高さになるよう構成されており、その上面にＰＯＳレジスタ３００を置載することができる。
【００３７】
次に、図２に示したＰＯＳレジスタ３００、硬貨釣銭機１００、紙幣釣銭機２００及び棒金収納機４００の本実施例に係る装置内部の物理構成を、図３を用いて説明する。
【００３８】
ＰＯＳレジスタ３００は、表示部３０２、操作部３０４及びＰＯＳレジスタ全体を制御する制御部３３０を有している。制御部３３０は、通信回線を介してＰＯＳサーバ７００に接続されており、売上金情報等が送信されるようになっている。また、ＰＯＳレジスタ３００の制御部３３０は、硬貨釣銭機１００の制御部１３０と通信回線によって接続されている。また、硬貨釣銭機１００の制御部１３０は、紙幣釣銭機２００の制御部２３０及び棒金収納機４００の制御部４３０とも互いに通信回線によって接続されている。ＰＯＳレジスタ３００は、硬貨釣銭機１００との通信回線を通して、硬貨釣銭機１００からの情報、硬貨釣銭機１００を経由して紙幣釣銭機２００からの情報及び棒金収納機４００からの情報を取得する。また、ＰＯＳレジスタ３００は、通信回線を通して硬貨釣銭機１００、硬貨釣銭機１００を通して紙幣釣銭機２００及び棒金収納機４００に対する指示を行うことができる。
【００３９】
硬貨釣銭機１００の筐体の前部上面に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００４０】
この入金搬送部１０３の途中には、硬貨の識別を行う硬貨識別部１０１と、リジェクト硬貨分岐部１０４ａと、あふれ硬貨分岐部１０４ｂとがそれぞれ設けられている。リジェクト硬貨分岐部１０４ａは、硬貨識別部１０１による硬貨の識別結果に基づいて、リジェクト硬貨等の、硬貨払出部１１６に返却されるべき硬貨を出金搬送部１０８へ図示しない搬送路を経由して搬送する。また、あふれ硬貨分岐部１０４ｂは、硬貨識別部１０１による硬貨の識別結果が正常硬貨であった場合でも、対応する硬貨収納部１０６がフルの状態である場合に硬貨を硬貨補助収納部１０７に搬送する。このように、硬貨補助収納部１０７は、あふれ硬貨を収納する用途に使用することも可能であるが、設定によっては硬貨収納部１０６がフル状態になっている場合には運用を停止するものとして硬貨補助収納部１０７にあふれ硬貨を入れないようにすることもできる。また、硬貨補助収納部１０７は、後述する自動精査処理でも使用される。
【００４１】
一方、硬貨収納部１０６がフルの状態でない場合には硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。また、硬貨収納部１０６は、図３に示すようにフル検知センサ１０５により硬貨収納部１０６の物理的なフル状態の監視が行われている。このフル検知センサ１０５は、発光部と受光部を備えており、発光部から発射された光をそれぞれの硬貨収納部１０６の上端近くに開けられた孔を通して受光部で受光する構造となっている。いずれかの硬貨収納部１０６に硬貨が多量に収納されると、発光部から発射した光が多量に収納された硬貨によって遮断され、受光部が光を検知しないことによっていずれかの硬貨収納部１０６がフル状態であることが検知される。フル検知センサ１０５は、このような構造であるため、複数ある硬貨収納部１０６の内、どの硬貨収納部１０６がフル状態になったのかについての判別を行うことはできず、複数ある硬貨収納部１０６の内、少なくともいずれか１つの硬貨収納部１０６がフル状態になっていることを検知するという機能を提供するものである。出金搬送部１０８は、硬貨収納部１０６から繰り出された硬貨を硬貨払出部１１６へ搬送する。また、出金搬送部１０８は、リジェクト硬貨分岐部１０４ａから搬送されたリジェクト硬貨等を硬貨払出部１１６へ搬送する。
【００４２】
硬貨補助収納部１０７は、自動精査処理時には硬貨収納部１０６から繰り出された硬貨を、出金搬送部１０８及び出金搬送部１０８から分岐して硬貨補助収納部１０７に続く補助搬送路１０９ａを経由して受け入れる。また、硬貨補助収納部１０７に受け入れられた硬貨は、硬貨補助収納部１０７から繰り出され、補助搬送路１０９ｂを経由して硬貨受入部１１４に送り出される。硬貨受入部１１４に送り出された硬貨は入金時の経路を通って硬貨収納部１０６に戻される。硬貨は、入金時の経路を通されて硬貨収納部１０６に戻される過程において硬貨識別部１０１で真偽及び正損の判定と真貨／正貨と判定された硬貨の金種別の枚数の計数が行われる。このようにすることによって、硬貨収納部１０６に収められている金種別の枚数を確認することができる。また、硬貨補助収納部１０７は、この機能を実現するため、最も容量の大きな硬貨収納部１０６に収められた硬貨を全て収納できるだけの容量を有している。
【００４３】
紙幣釣銭機２００は、この筐体内の略中央部に設けられた環状の周回搬送部２０３ａを備えている。また、紙幣受入部２１４、３つの紙幣収納部２０６、紙幣払出部２１６、出金リジェクト部２０４、及び回収カセット２０７が、周回搬送部２０３ａから外周を取り囲むように配置されている。
【００４４】
また、紙幣釣銭機２００の筐体の内部には、紙幣受入部２１４、紙幣収納部２０６、紙幣払出部２１６、出金リジェクト部２０４、及び回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別（真偽、金種）を行う。また、周回搬送部２０３ａと接続搬送部２０３ｂとの間で紙幣の搬送経路を切り換える経路切換部（図示せず）が、周回搬送部２０３ａに沿って配置されている。
【００４５】
紙幣受入部２１４は、紙幣受入口２１４ａに挿入された入金紙幣を１枚ずつ取り込んで、周回搬送部２０３ａ側へ繰り出すようになっている。周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納する。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００４６】
紙幣釣銭機２００に紙幣の出金指示が伝えられると、紙幣収納部２０６に収納されている紙幣が繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００４７】
棒金収納機４００は、棒金を収納する棒金収納部４０１を有している。
【００４８】
次に、図２に示した硬貨釣銭機１００、紙幣釣銭機２００及び棒金収納機４００の本実施例に係る機能的な内部構成を説明する。図４は、硬貨釣銭機１００、紙幣釣銭機２００及び棒金収納機４００の本実施例に係る機能的な内部構成を示すブロック図である。
【００４９】
図４に示すように、硬貨釣銭機１００は、通信部１３２、硬貨受入部１１４、シャッタ１１５、入金搬送部１０３、硬貨識別部１０１、リジェクト硬貨分岐部１０４ａ、あふれ硬貨分岐部１０４ｂ、フル検知センサ１０５、硬貨収納部１０６、硬貨補助収納部１０７、出金搬送部１０８、補助搬送路１０９ａ、補助搬送路１０９ｂ、硬貨払出部１１６、表示部１１２、操作部１１３、記憶部１３４及び制御部１３０を備えている。通信部１３２は、通信回線を通してＰＯＳレジスタ３００、紙幣釣銭機２００及び棒金収納機４００とのデータ通信を行うためのインタフェース部である。
【００５０】
硬貨受入部１１４は、入金する硬貨の受付を行う。シャッタ１１５は、硬貨受入部１１４の上部開口を開放および閉鎖するものであり、硬貨釣銭機１００の運用中の状態に応じて開閉の制御が行われる。入金搬送部１０３は、硬貨受入部１１４で受け付けた硬貨を硬貨識別部１０１、リジェクト硬貨分岐部１０４ａ及びあふれ硬貨分岐部１０４ｂを経由して硬貨収納部１０６への搬送を行う。硬貨識別部１０１は、入金搬送部１０３によって搬送されてきた硬貨の真偽及び正損の判定を行う。リジェクト硬貨分岐部１０４ａは、硬貨識別部１０１の真偽及び正損の識別結果に応じて、搬送されてきた硬貨を硬貨払出部１１６に続く出金搬送部１０８若しくは硬貨収納部１０６に続く入金搬送部１０３のいずれかに分岐させる。真貨であり且つ正貨と識別された場合には、リジェクト硬貨分岐部１０４ａは搬送されてきた硬貨を硬貨収納部１０６に続く入金搬送部１０３に振り分ける。また、偽貨若しくは損貨と識別された場合には、リジェクト硬貨分岐部１０４ａは搬送されてきた硬貨を硬貨払出部１１６に続く出金搬送部１０８に振り分ける。あふれ硬貨分岐部１０４ｂは、フル検知センサ１０５による硬貨収納部１０６のフル検知状況に応じて、搬送されてきた硬貨を硬貨補助収納部１０７若しくは硬貨収納部１０６に続く入金搬送部１０３のいずれかに分岐させる。硬貨収納部１０６のフルが検知されている状況においては、あふれ硬貨分岐部１０４ｂは、搬送されてきた硬貨を硬貨補助収納部１０７に振り分ける。また、硬貨収納部１０６のフルが検知されていない状況においては、あふれ硬貨分岐部１０４ｂは、搬送されてきた硬貨を硬貨収納部１０６に続く入金搬送部１０３に振り分ける。フル検知センサ１０５は、硬貨収納部１０６の少なくとも１つが物理的にフルの状態となっていることを検知することができるセンサである。
【００５１】
硬貨収納部１０６は、硬貨の入金処理で真貨であり且つ正貨と識別された硬貨を金種別に収納する収納部である。また、硬貨の出金処理では、当該硬貨収納部１０６から硬貨を繰り出して払い出しを行う。出金搬送部１０８は、硬貨の出金処理において硬貨収納部１０６から繰り出された硬貨を硬貨払出部１１６に搬送する。また、出金搬送部１０８は、入金された硬貨が硬貨識別部１０１によって偽貨若しくは損貨と識別された場合に、リジェクト硬貨分岐部１０４ａから分岐により受け付けた偽貨若しくは損貨と識別された硬貨を硬貨払出部１１６に搬送する。硬貨払出部１１６は、釣銭として出金する硬貨若しくは硬貨識別部１０１によって偽貨若しくは損貨と識別された返却する硬貨を払い出す口である。
【００５２】
硬貨補助収納部１０７は、出金搬送部１０８から分岐した補助搬送路１０９ａにより搬送された硬貨を収納できるような構造となっている。また、硬貨補助収納部１０７は、収納された硬貨を繰り出す機構を有しており、繰り出された硬貨は補助搬送路１０９ｂにより硬貨受入部１１４に送り出される。
【００５３】
表示部１１２は、硬貨釣銭機１００、紙幣釣銭機２００及び棒金収納機４００における硬貨や紙幣の処理状況や、硬貨釣銭機１００、紙幣釣銭機２００及び棒金収納機４００の内部に収納された硬貨や紙幣の在高などの情報を表示する出力部である。また、表示部１１２に表示される画面の下部には各種指示を行うためのファンクションボタンが配置され、このファンクションボタンに対応する位置に物理的な操作ボタンを有する操作部１１３が設けられている。
【００５４】
記憶部１３４は、ハードディスク装置や不揮発性メモリ等の記憶デバイスであり、硬貨在高データ１３４ａ、入出金履歴データ１３４ｂ、フル判定パラメータ１３４ｃ及び運用パラメータ１３４ｄを有する。硬貨在高データ１３４ａは、硬貨釣銭機１００内で管理する硬貨の金種別の在高を示すデータである。入出金履歴データ１３４ｂは、硬貨釣銭機１００で行われた硬貨の受け払いの履歴を記録したデータである。フル判定パラメータ１３４ｃは、フル検知センサ１０５により硬貨収納部１０６のいずれかがフルであることが検知された場合に、フル状態を回避するために収納されている硬貨を硬貨補助収納部１０７に搬送する硬貨収納部１０６の決定にかかるパラメータである。運用パラメータ１３４ｄは、シャッタ１１５の制御に係るパラメータである。フル判定パラメータ１３４ｃ及び運用パラメータ１３４ｄの保有情報などの詳細な内容は後述する。
【００５５】
制御部１３０は、硬貨釣銭機１００の全体を制御する制御部であり、入出金処理部１３０ａ、補充処理部１３０ｂ、回収処理部１３０ｃ、精査処理部１３０ｄ及び立上処理部１３０ｅを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００５６】
入出金処理部１３０ａは、硬貨の入金処理及び出金処理全体を制御する処理部である。また、入出金処理部１３０ａは、硬貨入出金が終了したならば、入出金履歴データ１３４ｂの更新を行うとともに、金種ごとの入出金の内容に応じて硬貨在高データ１３４ａの更新を行う。また、入出金処理部１３０ａは、処理開始時にシャッタ１１５が閉じられた状態の場合にはシャッタ１１５を開ける制御をする。具体的には、入出金処理部１３０ａは、シャッタ１１５のロックの解除を行い、表示部１１２にシャッタ１１５を開けることを促すメッセージを表示して、シャッタ１１５が開かれたならば開かれた状態でロックを行う。
【００５７】
補充処理部１３０ｂは、硬貨受入部１１４で受け付けた硬貨の硬貨収納部１０６への補充処理の全体を制御する処理部である。補充処理部１３０ｂは、補充処理により硬貨収納部１０６に収納された硬貨の枚数に応じて硬貨在高データ１３４ａの更新を行う。また、補充処理部１３０ｂは、補充処理に係る情報を入出金履歴データ１３４ｂに登録する。また、補充処理部１３０ｂは、処理開始時にシャッタ１１５が閉じられた状態の場合にはシャッタ１１５を開くように制御する。
【００５８】
回収処理部１３０ｃは、ＰＯＳレジスタ３００から回収の指示を受け付けた場合、若しくは操作部１１３の操作による回収の指示を受け付けた場合に、金種ごとに指定された枚数の硬貨（全回収の場合は、収納される全ての硬貨）を硬貨払出部１１６に搬送（回収）する。また、回収処理部１３０ｃは、回収された硬貨の枚数に応じて硬貨在高データ１３４ａの更新を行う。また、回収処理部１３０ｃは、処理開始時にシャッタ１１５が開いている状態の場合にはシャッタ１１５を閉じる制御をする。具体的には、回収処理部１３０ｃは、シャッタ１１５のロックの解除を行い、表示部１１２にシャッタ１１５を閉じることを促すメッセージを表示して、シャッタ１１５が閉じられたならば閉じられた状態でロックを行う。また、回収処理部１３０ｃは、処理が終了したとしてもシャッタ１１５を開ける制御は行わない。
【００５９】
精査処理部１３０ｄは、ＰＯＳレジスタ３００から自動精査の指示を受け付けた場合、若しくは操作部１１３の操作による自動精査の指示を受け付けた場合に、まず、硬貨受入部１１４のシャッタ機構を閉じる制御を行う。次に、精査処理部１３０ｄは、１金種目の硬貨収納部１０６から硬貨を繰り出して硬貨補助収納部１０７に送り込む。硬貨収納部１０６内の全ての硬貨が硬貨補助収納部１０７に送り込まれたならば、該硬貨を硬貨受入部１１４に搬送する。この際、硬貨収納部１０６内の全ての硬貨が硬貨補助収納部１０７に送り込まれたことを待ち合わせて硬貨補助収納部１０７からの硬貨受入部１１４への搬送をする必要はなく、硬貨の硬貨補助収納部１０７への送り込み動作に並行して一部の硬貨を硬貨補助収納部１０７から硬貨受入部１１４に搬送を行うようにしてもよい。
【００６０】
さらに、精査処理部１３０ｄは、硬貨受入部１１４に搬送された硬貨を繰り出して、硬貨識別部１０１で識別した後に、元の硬貨収納部１０６に収納する。このようにして、硬貨収納部１０６から繰り出された全ての硬貨が硬貨識別部１０１を通って元の硬貨収納部１０６に再び収納されると当該金種の在高を確認することができる。これらの処理を、全ての金種の硬貨収納部１０６に対して実施することにより、全ての金種の在高を確認することができる。また、これらの自動精査の処理により確認された金種別の在高と、これらの処理以前に記憶されていた硬貨在高データ１３４ａとを照合して、不一致であった場合には自動精査の処理により確認された金種別の在高で硬貨在高データ１３４ａを更新する。また、精査処理部１３０ｄは、一部の金種について金種指定の自動精査を行うこともできる。また、精査処理部１３０ｄは、処理の履歴を入出金履歴データ１３４ｂに記録する。また、精査処理部１３０ｄは、処理開始時にシャッタ１１５が開いている状態の場合にはシャッタ１１５を閉じる制御をする。また、精査処理部１３０ｄは、処理が終了した時点でシャッタ１１５を開けるよう制御するか否かは運用パラメータ１３４ｄの設定に従う。
【００６１】
入出金処理部１３０ａ、補充処理部１３０ｂ、回収処理部１３０ｃ及び精査処理部１３０ｄは、それぞれの処理の結果として、硬貨在高データ１３４ａ及び入出金履歴データ１３４ｂの更新が行われた場合には、更新内容（各処理を実行した旨の情報を含む）をＰＯＳレジスタ３００に通知する。
【００６２】
立上処理部１３０ｅは、硬貨釣銭機１００の装置立上時に動作する処理を行う処理部であり、シャッタ１１５を開けるか否かの判定を行い、シャッタ１１５を開けると判定した場合には、シャッタ１１５を開ける制御をする。具体的には、前日に全回収を行っている場合には釣銭準備金をセットしなければならないことからシャッタ１１５を開けると判定する。また、前日に全回収を行っていない場合であっても、硬貨収納部１０６に残っている硬貨が不足している場合についても釣銭準備金をセットしなければならないことからシャッタ１１５を開けると判定する。
【００６３】
図４に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、回収カセット２０７、記憶部２３４及び制御部２３０を備えている。通信部２３２は、通信回線を通して硬貨釣銭機１００とのデータ通信を行うためのインタフェース部である。
【００６４】
紙幣受入部２１４は、入金する紙幣の受付を行う。周回搬送部２０３ａは、紙幣受入部２１４から繰り出した紙幣を紙幣収納部２０６に続く接続搬送部２０３ｂか、回収カセット２０７に続く接続搬送部２０３ｂか、紙幣払出部２１６に続く接続搬送部２０３ｂのいずれかに選択的に搬送する。また、周回搬送部２０３ａは、紙幣収納部２０６から繰り出した紙幣を出金リジェクト部２０４に続く接続搬送部２０３ｂか、回収カセット２０７に続く接続搬送部２０３ｂか、紙幣払出部２１６に続く接続搬送部２０３ｂのいずれかに選択的に搬送する。接続搬送部２０３ｂは、周回搬送部２０３ａと紙幣収納部２０６、回収カセット２０７、紙幣払出部２１６、出金リジェクト部２０４若しくは紙幣受入部２１４とを結ぶ紙幣の搬送処理部である。
【００６５】
紙幣識別部２０１は、周回搬送部２０３ａ上にあって、紙幣の真偽及び正損の識別を行う。紙幣収納部２０６は、紙幣の入金処理で真券であり且つ正券と識別された紙幣を収納する収納部である。また、紙幣の出金処理では、当該紙幣収納部２０６から紙幣を繰り出して払い出しを行う。出金リジェクト部２０４は、紙幣の出金処理において紙幣収納部２０６から繰り出された紙幣のうち、紙幣識別部２０１で搬送異常（連鎖、斜行等）と識別された紙幣を収納するボックスである。紙幣払出部２１６は、紙幣の出金処理において紙幣収納部２０６から繰り出された紙幣のうち、紙幣識別部２０１で真券であり且つ正券と識別された紙幣を払い出す口である。また、紙幣払出部２１６は、紙幣の入金処理において紙幣識別部２０１で偽券若しくは損券と識別された紙幣を返却する口である。
【００６６】
回収カセット２０７は、ＰＯＳレジスタ３００から回収の指示を受け付けた場合、若しくは硬貨釣銭機１００の操作部１１３の操作による回収の指示を受け付けた場合に、紙幣収納部２０６に収納されている紙幣を搬送する先である。当該回収指示によって、紙幣釣銭機２００内の売上金は回収カセット２０７に集められ、当該回収カセット２０７を抜き取ることによって売上金の回収を行うことができる。また、回収された紙幣を繰り出す機能を備え、自動精査処理時における保留場所としての役割を果たす。
【００６７】
記憶部２３４は、ハードディスク装置や不揮発性メモリ等の記憶デバイスであり、紙幣在高データ２３４ａ及び入出金履歴データ２３４ｂを有する。紙幣在高データ２３４ａは、紙幣釣銭機２００内で管理する紙幣の金種別の在高を示すデータである。入出金履歴データ２３４ｂは、紙幣釣銭機２００で行われた紙幣の受け払いの履歴を記録したデータである。
【００６８】
制御部２３０は、紙幣釣銭機２００の全体を制御する制御部であり、入出金処理部２３０ａ、補充処理部２３０ｂ、回収処理部２３０ｃ及び精査処理部２３０ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６９】
入出金処理部２３０ａは、紙幣の入金処理及び出金処理全体を制御する処理部である。また、入出金処理部２３０ａは、紙幣入出金が終了したならば、入出金履歴データ２３４ｂの更新を行うとともに、金種ごとの入出金の内容に基づいて紙幣在高データ２３４ａの更新を行う。
【００７０】
補充処理部２３０ｂは、紙幣受入部２１４で受け付けた紙幣の紙幣収納部２０６への補充処理の全体を制御する処理部である。補充処理部２３０ｂは、補充処理により紙幣収納部２０６に収納された紙幣の枚数に応じて紙幣在高データ２３４ａの更新を行う。また、補充処理部２３０ｂは、補充処理に係る情報を入出金履歴データ２３４ｂに登録する。
【００７１】
回収処理部２３０ｃは、硬貨釣銭機１００を経由してＰＯＳレジスタ３００から回収の指示を受け付けた場合、若しくは硬貨釣銭機１００の操作部１１３の操作による回収の指示を受け付けた場合に、金種ごとに指定された枚数の紙幣を回収カセット２０７に回収する。尚、全回収が指示された場合には、紙幣収納部２０６内に収納される全ての紙幣が回収される。また、回収処理部２３０ｃは、回収された紙幣の枚数に応じて紙幣在高データ２３４ａの更新を行う。また、回収処理部２３０ｃは、回収処理に係る情報を入出金履歴データ２３４ｂに登録する。
【００７２】
精査処理部２３０ｄは、ＰＯＳレジスタ３００から自動精査の指示を受け付けた場合、若しくは操作部１１３の操作による自動精査の指示を受け付けた場合に、１金種目の紙幣収納部２０６から紙幣を繰り出して回収カセット２０７に送り込む。紙幣収納部２０６内の全ての紙幣が回収カセット２０７に送り込まれたならば、該紙幣を繰り出して、紙幣識別部２０１で識別した後に、元の紙幣収納部２０６に収納する。このようにして、紙幣収納部２０６から繰り出された全ての紙幣が紙幣識別部２０１を通って元の紙幣収納部２０６に再び収納されると当該金種の在高を確認することができる。これらの処理を、全ての金種の紙幣収納部２０６に対して実施することにより、全ての金種の在高を確認することができる。また、これらの自動精査の処理により確認された金種別の在高と、これらの処理以前に記憶されていた紙幣在高データ２３４ａとを照合して、不一致であった場合には自動精査の処理により確認された金種別の在高で紙幣在高データ２３４ａを更新する。また、精査処理部２３０ｄは、金種指定の自動精査を行うこともできる。また、精査処理部２３０ｄは、自動精査処理の履歴を入出金履歴データ２３４ｂに記録する。
【００７３】
入出金処理部２３０ａ、補充処理部２３０ｂ、回収処理部２３０ｃ及び精査処理部２３０ｄは、それぞれの処理の結果、紙幣在高データ２３４ａ及び入出金履歴データ２３４ｂの更新を行う場合には、硬貨釣銭機１００を経由して更新内容をＰＯＳレジスタ３００に通知する。
【００７４】
図４に示すように、棒金収納機４００は、通信部４３２、棒金収納部４０１、ロック部４０２、記憶部４３４及び制御部４３０を備えている。通信部４３２は、通信回線を通して硬貨釣銭機１００とのデータ通信を行うためのインタフェース部である。
【００７５】
棒金収納部４０１は、筐体から引き出すことが可能な引出状の収納部であり、棒金が１本ずつ収納されるポケット部が備えられている。棒金収納部４０１は金種ごとに収納する位置が決まっており、位置ごとに収納されているか否か、正しい金種の棒金が収納されているか否かを検知するセンサを有している。ロック部４０２は、棒金収納部４０１の筐体からの引き出しを制限する電磁ロックである。
【００７６】
記憶部４３４は、ハードディスク装置や不揮発性メモリ等の記憶デバイスであり、棒金在高データ４３４ａを有する。棒金在高データ４３４ａは、棒金収納部４０１に収納されている棒金の在高である金種別の棒金の本数を示すデータである。制御部４３０は、棒金収納機４００の全体を制御する制御部である。制御部４３０は、棒金収納部４０１に収納されている棒金の在高が変化した場合には、変化に準じて棒金在高データ４３４ａの更新を行うとともに、硬貨釣銭機１００を経由して棒金在高データ４３４ａの更新内容をＰＯＳレジスタ３００に通知する。
【００７７】
次に、図２に示したＰＯＳレジスタ３００の本実施例に係る機能的な内部構成を説明する。図５は、ＰＯＳレジスタ３００の本実施例に係る機能的な内部構成を示すブロック図である。
【００７８】
図５に示すように、ＰＯＳレジスタ３００は表示部３０２、操作部３０４、プリンタ３０６、バーコードリーダ３０８、ＰＯＳレジスタ３００を操作する担当者のカードの情報を読み取るカードリーダ３１０、通信部３３２、記憶部３３４及び制御部３３０を備えている。
【００７９】
記憶部３３４は、ハードディスク装置や不揮発性メモリ等の記憶デバイスであり、在高データ３３４ａ及び取引履歴データ３３４ｂを有する。在高データ３３４ａは、接続される硬貨釣銭機１００、紙幣釣銭機２００及び棒金収納機４００から通知される硬貨在高データ１３４ａ、紙幣在高データ２３４ａ及び棒金在高データ４３４ａを記憶したデータである。取引履歴データ３３４ｂは、ＰＯＳレジスタ３００で決済された顧客との取引の履歴のデータを含む。また、取引履歴データ３３４ｂは、釣銭の補充処理、回収処理及び装置のエラー発生の状況などの履歴の情報も含む。
【００８０】
制御部３３０は、ＰＯＳレジスタ３００の全体を制御する制御部であり、履歴情報管理部３３０ａ、補充回収処理部３３０ｂ、精査処理部３３０ｃ及び商品決済処理部３３０ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００８１】
履歴情報管理部３３０ａは、ＰＯＳレジスタ３００で処理される商品代金の決済処理だけではなく、釣銭機に対する釣銭準備金の補充処理、釣銭機からの現金の回収処理、釣銭機における自動精査処理及びエラー発生の状況などを取引履歴データ３３４ｂに記録するとともに、記録した内容をＰＯＳサーバ７００に送信する。また、履歴情報管理部３３０ａは、ＰＯＳサーバ７００に取引履歴データ３３４ｂの更新内容を送信する場合に、在高データ３３４ａが更新されている場合には、在高データ３３４ａの更新内容も併せてＰＯＳサーバ７００に送信する。
【００８２】
補充回収処理部３３０ｂは、補充処理の操作を受け付けて、釣銭準備金として払い出された貨幣の補充処理を行う。具体的には、補充処理の操作を受付けたならば、硬貨釣銭機１００に対してバラ硬貨の釣銭準備金の補充指示を行い、紙幣釣銭機２００に対して紙幣の釣銭準備金の補充指示を行い、棒金収納機４００に対して棒金の補充指示を行う。バラ硬貨の釣銭準備金の補充指示を受け付けた硬貨釣銭機１００は、硬貨受入部１１４に投入されたバラ硬貨を真贋判定及び計数して硬貨収納部１０６に収納し、収納した硬貨の金種別の枚数を硬貨在高データ１３４ａに反映する。また、紙幣の釣銭準備金の補充指示を受け付けた紙幣釣銭機２００は、紙幣受入部２１４に挿入された紙幣の真贋判定及び計数して紙幣収納部２０６に収納し、収納した紙幣の金種別の枚数を紙幣在高データ２３４ａに反映する。また、棒金の補充指示を受け付けた棒金収納機４００は、棒金収納部４０１を開けて棒金を受け付けて、受け付けた棒金の情報を棒金収納部４０１で検知し、検知した内容を棒金在高データ４３４ａに反映する。
【００８３】
補充回収処理部３３０ｂは、回収に係る指示を受け付けて、受け付けた内容に応じた貨幣の回収処理を硬貨釣銭機１００、紙幣釣銭機２００及び棒金収納機４００に対して指示を行う。回収に係る指示は、硬貨釣銭機１００、紙幣釣銭機２００及び棒金収納機４００に収納されている全ての貨幣を回収する全回収の指示と、金種別の数量を指定して回収する数量指定回収の指示と、機内に残す貨幣の金額や金種別の枚数を指定して余剰分を回収する残置回収の指示がある。
【００８４】
精査処理部３３０ｃは、操作部３０４等を用いた自動精査に係る指示を受け付けて、受け付けた内容に応じた自動精査を硬貨釣銭機１００及び紙幣釣銭機２００に対して指示する。自動精査に係る指示には、全金種の自動精査や一部金種を指定した自動精査がある。棒金収納機４００については、硬貨釣銭機１００及び紙幣釣銭機２００のように装置内で貨幣を循環させなくとも硬貨棒金の在高を検知することができる。硬貨釣銭機１００及び紙幣釣銭機２００に対して指示した自動精査の処理の結果として、確認後の硬貨及び紙幣の在高が通知されると在高データ３３４ａに反映されると共に、ＰＯＳサーバ７００に通知する。
【００８５】
商品決済処理部３３０ｄは、バーコードリーダ３０８及び操作部３０４により決済対象の商品の種類及び数の入力を受け付けて、受け付けた内容に対応する商品代金を算出する。また、商品決済処理部３３０ｄは、硬貨釣銭機１００及び紙幣釣銭機２００に投入された貨幣額を硬貨釣銭機１００から受け付けて、算出した商品代金との差額を釣銭として払い出す旨の指示を硬貨釣銭機１００及び紙幣釣銭機２００に行う。また、商品決済処理部３３０ｄは、商品決済に係る商品の情報、受け付けた貨幣の情報、払い出した釣銭の情報などの情報を履歴データとして取引履歴データ３３４ｂに登録する。
【００８６】
次に、図４に示した硬貨釣銭機１００、紙幣釣銭機２００及び棒金収納機４００の本実施例に係るデータ構成について図６を用いて説明する。
【００８７】
硬貨在高データ１３４ａは、硬貨釣銭機１００の硬貨金種別の機内在高と、金種別の硬貨収納部１０６に収納することができなかったあふれ硬貨の枚数と、当該硬貨釣銭機１００が精査待ちになっているか否かの情報と、エラー発生中である場合には発生中のエラーコードとを含む。精査待ちの情報は、コード化されたデータであって、「０」は精査待ちではないことを示し、「１」は精査待ちであることを示す。図６の硬貨在高データ１３４ａの例は、５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚で、精査待ちは「０」であり精査待ちではなく、エラーコードの情報がなくエラー発生中ではないことを示すレコードが含まれていることを表している。
【００８８】
入出金履歴データ１３４ｂは、処理が行われた日時に関連付けられた処理区分、受け付けた金種別の硬貨の枚数である金種別受付枚数と、払い出した金種別の硬貨の枚数である金種別払出枚数と、当該処理でエラーが発生した場合のエラーコードとをレコードの保有項目とするデータである。処理区分はコード化された情報であって行われた処理内容を示す情報であり、「１」は代金決済で、「２」は両替で、「３」は補充で、「４」は棒金収納機４００に収納されている棒金を取り出して硬貨釣銭機１００に補充するくずし補充で、「５」は全回収以外の部分回収で、「６」は装置内の貨幣の数量を検査する自動精査で、「７」は全回収で、「８」はエラー発生であることを示している。
【００８９】
図６の入出金履歴データ１３４ｂの例は、日時が「２０１４／４／１０  １８：３０」に処理区分「１」の示す代金決済処理が行われ、硬貨は受け付けていなくて、１００円貨を「２」枚を払い出し、この処理においてエラーの発生はなかったことを示すレコードが含まれていることを示している。
【００９０】
フル判定パラメータ１３４ｃは、フル基準収納比率と、金種別最大収納枚数と、金種別の優先度とを有する。金種別最大収納枚数は、硬貨収納部１０６の金種別の最大収納枚数の基準値である。フル基準収納比率は、硬貨収納部１０６から硬貨補助収納部１０７に移すべきか否かを判定するための基準値であり、金種別最大収納枚数に対する硬貨収納部１０６に収納されている金種別の在高の割合であり、該フル基準収納比率を超えた金種は、硬貨収納部１０６から硬貨補助収納部１０７に移すべき候補となる。優先度はこのフル基準収納比率を超えた金種が複数存在する場合に硬貨収納部１０６から硬貨補助収納部１０７に移す金種ごとの優先度である。
【００９１】
図６に示すフル判定パラメータ１３４ｃの例は、フル基準収納比率が「９０％」で、金種別最大収納枚数は、５００円貨が「１４０」枚で、１００円貨が「１６０」枚で、５０円貨が「１７０」枚で、１０円貨が「１６０」枚で、５円貨が「１６０」枚で、１円貨が「１８０」枚であり、５００円貨の優先度が「３」で、１００円貨の優先度が「１」で、５０円貨の優先度が「４」で、１０円貨の優先度が「２」で、５円貨の優先度が「６」で、１円貨の優先度が「５」であることを示している。
【００９２】
運用パラメータ１３４ｄは、残置運用の有無と、残置有時の立ち上げ時シャッタ制御と、精査処理終了時のシャッタ制御と、前日全回収実施有無を示すステータスとを有する。残置運用の有無は、閉店後に売上金を回収する場合に釣銭準備金として翌日以降に使用することができる小額紙幣若しくは硬貨を硬貨釣銭機１００及び紙幣釣銭機２００に残す（以下、「残置」と言う）か否かを示すパラメータである。また、残置有時の立ち上げ時シャッタ制御は、残置が行われている場合に立ち上げ時にシャッタ１１５を開けるか否かを設定するパラメータであって、「開」が設定されている場合にはシャッタ１１５を立ち上げ時に開けることを示し、「閉」が設定されている場合にはシャッタ１１５を立ち上げ時に閉じたまま開けないことを示す。また、自動精査処理終了時のシャッタ制御は、機内の在高を確認する自動精査処理が終了したならばシャッタ１１５を開けるか否かを設定するパラメータである。また、前日全回収実施有無を示すステータスは、前日に全回収を行っている場合には「有」が、前日に全回収を行っていない場合には「無」が記憶される。
【００９３】
図６の運用パラメータ１３４ｄの例は、残置運用が「有」であり残置の運用がおこなわれており、残置有時の立ち上げ時シャッタ制御が「閉」であり残置が行われている場合に立ち上げ時にシャッタ１１５を閉じたままとし、自動精査処理終了時のシャッタ制御が「開」であり自動精査処理が終了したならばシャッタ１１５を開け、前日全回収実施有無を示すステータスは「無」であり前日に全回収を行っていないことを示している。
【００９４】
紙幣在高データ２３４ａは、紙幣釣銭機２００の紙幣金種別の機内在高と、紙幣収納部２０６から正しく繰り出すことができなかったリジェクト件数と、金種別の紙幣収納部２０６に収納することができなかったあふれ紙幣の枚数と、紙幣釣銭機２００が精査待ちになっているか否かの情報と、エラー発生中である場合には発生中のエラーコードとを含むデータである。図６の紙幣在高データ２３４ａの例は、万円券が「３０」枚で、五千円券が「２０」枚で、千円券が「１２０」枚で、リジェクト件数が「５」件で、あふれ券数が「０」枚で、精査待ちは「０」であり精査待ちではなく、エラーコードの情報がなくエラー発生中ではないことを示している。
【００９５】
入出金履歴データ２３４ｂは、処理が行われた日時に関連付けられた処理区分、受け付けた紙幣の金種別の枚数である金種別受付枚数と、払い出した紙幣の金種別の枚数である金種別払出枚数をレコードの保有項目とするデータである。処理区分はコード化されたデータであってコードの意味は先に説明した入出金履歴データ１３４ｂの処理区分と同じである。図６の入出金履歴データ２３４ｂの例は、日時が「２０１４／４／１０  １８：３０」に処理区分「１」の示す代金決済処理が行われ、万円券「１」枚を受け付けて、五千円券「１」枚を払い出して、エラーコードの情報がなくエラー発生中ではないことを示すレコードが含まれていることを表している。
【００９６】
棒金在高データ４３４ａは、棒金収納機４００の硬貨金種別の棒金の機内在高と、エラー発生中である場合には発生中のエラーコードとを含む。図６の棒金在高データ４３４ａの例は、棒金収納機４００の硬貨金種別の棒金の機内在高が、５００円貨の棒金が「０」本で、１００円貨の棒金が「２」本で、５０円貨の棒金が「１」本で、１０円貨の棒金が「１」本で、５円貨の棒金が「１」本で、１円貨の棒金が「０」本であり、エラーコードの情報がなくエラー発生中ではないことを示している。
【００９７】
次に、図５に示したＰＯＳレジスタ３００の本実施例に係るデータ構成について図７を用いて説明する。
【００９８】
在高データ３３４ａは、硬貨釣銭機１００、紙幣釣銭機２００及び棒金収納機４００から通知された硬貨在高データ１３４ａ、紙幣在高データ２３４ａ及び棒金在高データ４３４ａを記憶したデータであって、紙幣在高データ２３４ａに対応する紙幣の金種別の在高の情報と、硬貨釣銭機１００に対応するバラの硬貨の在高の情報と、棒金収納機４００に対応する棒金の硬貨の在高の情報とを含んでいる。
【００９９】
図７の在高データ３３４ａの例は、紙幣釣銭機２００の在高は万円券が「３０」枚で、五千円券が「２０」枚で、千円券が「１２０」枚で、リジェクト件数が「５」件で、あふれ券数が「０」枚であり、精査待ちは「０」であり精査待ちではなく、エラーコードの情報がなくエラー発生中ではなく、硬貨釣銭機１００の在高は５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚であり、精査待ちは「０」であり精査待ちではなく、エラーコードの情報がなくエラー発生中ではなく、棒金収納機４００の在高は５００円貨の棒金が「０」本で、１００円貨の棒金が「２」本で、５０円貨の棒金が「１」本で、１０円貨の棒金が「１」本で、５円貨の棒金が「１」本で、１円貨の棒金が「０」本であり、エラーコードの情報がなくエラー発生中ではないことを示している。
【０１００】
取引履歴データ３３４ｂは、処理が行われた日時と、レジ番号と、処理区分と、当該処理で発行されたレシートを識別するレシート番号と、当該処理の取引額と、取引額のうちのクレジットカードによる決済額と、取引額のうちの商品券による決済額と、受け付けた金種別の貨幣の枚数と、払い出した金種別の貨幣の枚数と、硬貨釣銭機１００、紙幣釣銭機２００及び棒金収納機４００のエラーコードと、処理区分が「１」の代金決済の場合の購入した商品に係る情報などをレコードの保有項目とするデータである。処理区分はコード化されたデータであってコードの意味は先に説明した入出金履歴データ１３４ｂの処理区分と同じである。また、処理区分が「３」の補充の場合には、レシート番号には、補充処理で読み取る釣銭準備金払出レシートのレシート番号が記録される。
【０１０１】
図７の取引履歴データ３３４ｂの例は、日時が「２０１４／４／１０  １８：３０」に、レジ番号が「１０１」のレジにおいて、処理区分「１」の示す代金決済処理が行われ、レシート番号が「０２９５」のレシートが発行され、取引額が「４，８００」円で、クレジット決済額及び商品券決済額はともに「０」円で、万円券「１」枚を受け付けて、五千円券「１」枚と、１００円貨「２」枚を払い出したことを示すレコードが含まれていることを表している。
【０１０２】
次に、図２に示した硬貨釣銭機１００における自動精査処理時に表示される画面構成及び処理実行に伴う画面遷移について図８を用いて説明する。
【０１０３】
図８（ａ）は、シャッタ１１５が開いている状態で硬貨釣銭機１００が自動精査処理の指示を受け付けた場合に、表示部１１２に表示される画面の例である。図８（ａ）に示すように、表示部１１２には硬貨釣銭機１００のシャッタ１１５を閉めることを促すメッセージと、硬貨釣銭機１００のシャッタ１１５の部分の外観の画像とシャッタ１１５を閉める操作方法を示す画像とが表示される。
【０１０４】
図８（ａ）の画面に表示されるメッセージなどに応じて、シャッタ１１５が閉じられて、シャッタ１１５が閉じられたことを検知したならば、シャッタ１１５が閉じられた状態でロックして、図８（ｂ）の画面に遷移する。図８（ｂ）の画面は、自動精査処理中の画面であって、精査の処理中である旨の表示と、精査された紙幣及び硬貨の金種別の枚数と、精査された金額の表示が行われる。
【０１０５】
自動精査処理が終了すると、図８（ｃ）に示す自動精査終了時の画面に遷移する。自動精査処理の終了時の画面は、精査処理を終了する旨のメッセージと精査された紙幣及び硬貨の金種別の枚数と、精査された金額の表示が行われ、画面最下部にはファンクションボタンとして「終了」が表示される。
【０１０６】
図８（ｃ）の画面が表示されている状態で、ファンクションボタンの「終了」に対応する操作部１１３が操作されると図８（ｄ）の画面に遷移する。図８（ｄ）の画面は、シャッタ１１５を開けることを促すメッセージと、硬貨釣銭機１００のシャッタ１１５の部分の外観の画像とシャッタ１１５を開ける操作方法を示す画像とが表示される。図８（ｄ）の画面に表示されているメッセージなどに応じてシャッタ１１５が開けられて、シャッタ１１５が開けられたことを検知したならば、シャッタ１１５が開けられた状態でロックして一連の自動精査処理を終了する。
【０１０７】
図８に示した自動精査処理において表示した画面では、処理終了時にシャッタ１１５を開けるという例を示したが、図５に示した運用パラメータ１３４ｄに精査終了時シャッタ制御に、自動精査処理の終了時にシャッタ１１５を開けないことを示す「閉」が設定されていた場合には、自動精査処理が終了しても図８（ｄ）に示したようなシャッタ１１５を開けるような制御は行わない。
【０１０８】
次に、図２に示した硬貨釣銭機１００における精算処理時に表示される画面構成及び処理実行に伴う画面遷移について図９を用いて説明する。
【０１０９】
図９（ａ）は、シャッタ１１５が開いている状態で硬貨釣銭機１００が精算処理の指示を受け付けた場合に、表示部１１２に表示される画面の例である。図９（ａ）に示すように、表示部１１２には硬貨釣銭機１００のシャッタ１１５を閉めることを促すメッセージと、硬貨釣銭機１００のシャッタ１１５の部分の外観の画像とシャッタ１１５を閉める操作方法を示す画像とが表示される。
【０１１０】
図９（ａ）の画面に表示されるメッセージなどに応じて、シャッタ１１５が閉じられて、シャッタ１１５が閉じられたことを検知したならば、シャッタ１１５が閉じられた状態でロックして、精算処理の指示に応じた回収処理を開始するとともに、図９（ｂ）の画面に遷移する。図９（ｂ）の画面は、精算による貨幣の回収の処理中の画面であって、回収中である旨の表示と、回収された紙幣及び硬貨の金種別の枚数と、回収された金額の表示が行われる。
【０１１１】
回収処理が終了すると、図９（ｃ）に示す回収終了時の画面に遷移する。回収終了時の画面は、回収処理を終了する旨のメッセージと回収された紙幣及び硬貨の金種別の枚数と、回収された合計金額の表示が行われ、画面最下部にはファンクションボタンとして「終了」が表示される。
【０１１２】
図９（ｃ）の画面が表示されている状態で、ファンクションボタンの「終了」に対応する操作部１１３が操作されると、シャッタ１１５は閉じた状態でロックされたままで図９（ｄ）の画面に遷移する。図９（ｄ）の画面は、硬貨釣銭機１００、紙幣釣銭機２００及び棒金収納機４００に収められている貨幣の在高が表示されるとともに、画面最下部にはファンクションボタンとして「シャッタ開」が表示される。精算処理後は通常であれば硬貨釣銭機１００を使用しないことからシャッタ１１５は閉じたままとされるが、例えば閉店後に装置のメンテナンスを行うなどの場合には、ファンクションボタンの「シャッタ開」に対応する操作部１１３が操作されると、図８（ｄ）に示したような画面を表示してシャッタ１１５を開けるための制御が行われる。
【０１１３】
次に、図２に示した硬貨釣銭機１００の立ち上げ時に表示される画面構成及び立ち上げ時の処理に伴う画面遷移について図１０を用いて説明する。
【０１１４】
図１０（ａ）の画面は、硬貨釣銭機１００、紙幣釣銭機２００及び棒金収納機４００に電源が投入されて装置のリセット処理がおこなわれている時に表示される画面の例であり、硬貨釣銭機１００、紙幣釣銭機２００及び棒金収納機４００の在高を示す表示が行われるとともに、画面中央にはリセットの処理中である旨のメッセージが表示される。
【０１１５】
装置のリセット処理が終了したときに、前日に全回収が行われている場合には図１０（ｂ）の画面に遷移する。前日に全回収が行われているということは、硬貨釣銭機１００、紙幣釣銭機２００及び棒金収納機４００に貨幣が一切ないということなので釣銭準備金を硬貨釣銭機１００及び紙幣釣銭機２００に補充する必要がある。そのため、硬貨釣銭機１００は、釣銭準備金の補充が行えるようにシャッタ１１５を開ける必要があることから、図１０（ｂ）に示したシャッタ１１５を開けるように制御するための画面を表示する。図１０（ｂ）の画面が表示されている状態で、シャッタ１１５が開けられたならば、シャッタ１１５が開けられた状態でロックされて、図１０（ｄ）に示す硬貨釣銭機１００、紙幣釣銭機２００及び棒金収納機４００の在高が表示される待機中の画面に遷移する。
【０１１６】
また、図１０（ａ）の画面の表示がされている状態から装置のリセット処理が終了したときに、前日に全回収ではなく釣銭準備金を残置する回収が行われている場合であっても、硬貨釣銭機１００に収納されている硬貨に不足がある場合には、前日に全回収が行われた場合と同様で図１０（ｂ）の画面に遷移する。これは、釣銭準備金の残置がされていても、業務開始するにあたって硬貨釣銭機１００に収納されている硬貨だけでは不足していると判断された場合には、釣銭準備金の補充が必要であるためである。
【０１１７】
また、図１０（ａ）の画面の表示がされている状態から装置のリセット処理が終了したときに、前日に釣銭準備金を残置する回収が行われていて且つ硬貨釣銭機１００に収納されている硬貨に不足がない場合には、釣銭準備金の補充を行う必要がないのでシャッタ１１５が閉じられた状態を継続し、図１０（ｃ）の画面に遷移する。図１０（ｃ）の画面は、硬貨釣銭機１００、紙幣釣銭機２００及び棒金収納機４００の在高が表示される待機中の画面である。ただし、図１０（ｄ）の画面と比較すると、画面の画面最下部にはファンクションボタンとして「シャッタ開」が表示される。図１０（ｃ）の画面が表示されている状態で開店を迎えた場合には、硬貨釣銭機１００を使用開始する直前にファンクションボタンの「シャッタ開」に対応する操作部１１３の操作を受け付けたならば、図１０（ｂ）の画面に遷移してシャッタ１１５を開けるための制御が行われる。
【０１１８】
次に、図２に示した硬貨釣銭機１００における自動精査処理時の処理手順について図１１に示すフローチャートを用いて説明する。
【０１１９】
精査処理部１３０ｄは、シャッタ１１５のロックを解除して（ステップＳ１０１）、図８（ａ）に表示したようなシャッタ１１５を閉じる旨を示すメッセージを含む画面の表示を行う（ステップＳ１０２）。ステップＳ１０２の画面が表示されている状態においてシャッタ１１５が閉められたことを検知したならば（ステップＳ１０３；Ｙｅｓ）、精査処理部１３０ｄは、シャッタ１１５が閉められた状態でロックを行う（ステップＳ１０４）。また、ステップＳ１０２の画面が表示されている状態においてシャッタ１１５が閉められたことを検知していないならば（ステップＳ１０３；Ｎｏ）、ステップＳ１０３に戻ることによってシャッタ１１５が閉められることを待ち合わせる。
【０１２０】
硬貨補助収納部１０７に硬貨がある場合（ステップＳ１０５；Ｙｅｓ）には、精査処理部１３０ｄは、硬貨補助収納部１０７に収められていた硬貨を硬貨払出部１１６に排出する（ステップＳ１０６）。具体的には、硬貨補助収納部１０７の硬貨を繰り出して補助搬送路１０９ａを経由して硬貨受入部１１４に搬送し、硬貨受入部１１４に搬送された硬貨を繰り出して入金搬送部１０３でリジェクト硬貨分岐部１０４ａまで搬送し、リジェクト硬貨分岐部１０４ａから分岐して出金搬送部１０８に渡して出金搬送部１０８により硬貨払出部１１６に搬出する。これにより、硬貨補助収納部１０７は空の状態になる。また、硬貨補助収納部１０７に硬貨がない場合（ステップＳ１０５；Ｎｏ）には、ステップＳ１０６の処理をスキップする。
【０１２１】
精査処理部１３０ｄは、まだ精査処理がおこなわれていないいずれかの金種を一つ選択して（ステップＳ１０７）、選択した金種の硬貨に対応する硬貨収納部１０６に収められている硬貨を全て硬貨補助収納部１０７に搬送する（ステップＳ１０８）。精査処理部１３０ｄは、硬貨補助収納部１０７に搬送された硬貨を硬貨受入部１１４に所定の単位数搬送し（ステップＳ１０９）、硬貨受入部１１４に搬送された硬貨を繰り出して硬貨識別部１０１で硬貨の識別及び計数を行って硬貨収納部１０６に格納する（ステップＳ１１０）。硬貨補助収納部１０７にステップＳ１０８で搬送した硬貨がまだ残っている場合（ステップＳ１１１；Ｎｏ）にはステップＳ１０９に戻る。また、硬貨補助収納部１０７にステップＳ１０８で搬送した硬貨が残っていなくて（ステップＳ１１１；Ｙｅｓ）、まだ精査を行っていない金種が残っている場合（ステップＳ１１２；Ｎｏ）には、ステップＳ１０７に戻る。全ての金種について精査の処理が終わっている場合（ステップＳ１１２；Ｙｅｓ）には、精査処理部１３０ｄは、図８（ｃ）に示したような自動精査処理の結果を表示部１１２に表示する（ステップＳ１１３）。
【０１２２】
運用パラメータ１３４ｄの精査終了時シャッタ制御に自動精査処理が終了した時にシャッタ１１５を開けることを示す「開」が設定されている場合（ステップＳ１１４；Ｙｅｓ）には、精査処理部１３０ｄは、シャッタ１１５のロックを解除して（ステップＳ１１５）、図８（ｄ）に示したようなシャッタ１１５を開けることを促すメッセージを含む画面の表示を行う（ステップＳ１１６）。ステップＳ１１６で表示したメッセージに従ってシャッタ１１５が開けられて、開けられたことが検知されたならば（ステップＳ１１７；Ｙｅｓ）、精査処理部１３０ｄは、シャッタ１１５が開けられた状態でロックして（ステップＳ１１８）、処理を終了する。シャッタ１１５が開けられたことが検知されなければ（ステップＳ１１７；Ｎｏ）、ステップＳ１１７に戻ることによってシャッタ１１５が開けられることを待ち合わせる。また、運用パラメータ１３４ｄの精査終了時シャッタ制御に自動精査処理が終了した時にシャッタ１１５を開けることを示す「開」が設定されていない場合（ステップＳ１１４；Ｎｏ）には、ステップＳ１１５からステップＳ１１８の処理をスキップすることによって、シャッタ１１５を閉じたままの状態で処理を終了する。
【０１２３】
次に、図２に示した硬貨釣銭機１００における精算処理時の処理手順について図１２に示すフローチャートを用いて説明する。
【０１２４】
回収処理部１３０ｃは、精算処理における硬貨の回収の指示を受け付けたならば、シャッタ１１５のロックを解除して（ステップＳ２０１）、図９（ａ）に表示したようなシャッタ１１５を閉じる旨を示すメッセージを含む画面の表示を行う（ステップＳ２０２）。ステップＳ２０２の画面が表示されている状態においてシャッタ１１５が閉められたことを検知したならば（ステップＳ２０３；Ｙｅｓ）、回収処理部１３０ｃは、シャッタ１１５が閉められた状態でロックを行う（ステップＳ２０４）。また、ステップＳ２０２の画面が表示されている状態においてシャッタ１１５が閉められたことを検知していないならば（ステップＳ２０３；Ｎｏ）、ステップＳ２０３に戻ることによってシャッタ１１５が閉められることを待ち合わせる。
【０１２５】
回収処理部１３０ｃは、受け付けた硬貨の回収の指示に従って、指示された金種別の枚数の硬貨を硬貨払出部１１６に払い出すとともに回収中の状況を図９（ｂ）に示したように表示する（ステップＳ２０５）。また、回収処理部１３０ｃは、指示された金種別の枚数の硬貨の払い出しが終了すると、実施した処理内容に応じて運用パラメータ１３４ｄの前日全回収実施有無ステータスを更新する（ステップＳ２０６）。具体的には、ステップＳ２０５の回収処理が硬貨収納部１０６に収められている硬貨を全て回収する全回収処理であった場合には、運用パラメータ１３４ｄの前日全回収実施有無ステータスに「有」を設定し、ステップＳ２０５の回収処理が硬貨収納部１０６に収められている硬貨を一部回収してそれ以外の硬貨を硬貨収納部１０６に残しておく残置回収であった場合には、運用パラメータ１３４ｄの前日全回収実施有無ステータスに「無」を設定する。
【０１２６】
また、回収処理部１３０ｃは、図９（ｃ）に示したように回収処理の結果を表示部１１２に表示し（ステップＳ２０７）、表示され画面に表示される「終了」のファンクションボタンに対応する操作を受け付けたならば（ステップＳ２０８；Ｙｅｓ）、処理を終了する。ステップＳ２０７で表示された画面が表示されている状態において「終了」のファンクションボタンに対応する操作を受け付けていないならば（ステップＳ２０８；Ｎｏ）、ステップＳ２０８に戻ることにより、「終了」のファンクションボタンに対応する操作が行われるのを待ち合わせる。
【０１２７】
次に、図２に示した硬貨釣銭機１００の立ち上げ時の処理の処理手順について図１３を示すフローチャートを用いて説明する。
【０１２８】
運用パラメータ１３４ｄの前日全回収実施有無ステータスが前日の回収が残置回収であることを示す「無」で（ステップＳ３０１；Ｎｏ）、硬貨収納部１０６に収められている硬貨が不足しておらず釣銭準備金の補充が不要と判定され（ステップＳ３０２；Ｎｏ）、運用パラメータ１３４ｄの残置有時の立ち上げ時シャッタ制御に、前日残置回収を行っている場合にはシャッタ１１５を開けないことを示す「閉」が設定されている場合（ステップＳ３０３；Ｙｅｓ）には、立上処理部１３０ｅは、図１０（ｃ）に示したようなシャッタ１１５を閉じた状態の待機中の画面の表示を行う（ステップＳ３０４）。
【０１２９】
ステップＳ３０４で表示された画面の最下部の「シャッタ開」のファンクションボタンに対応する操作部１１３の操作が行われたならば（ステップＳ３０５；Ｙｅｓ）、立上処理部１３０ｅは、シャッタ１１５のロックを解除して（ステップＳ３０６）、図１０（ｂ）に示したようなシャッタ１１５を開けることを促すメッセージを含む画面の表示を行う（ステップＳ３０７）。ステップＳ３０７で表示したメッセージに従ってシャッタ１１５が開けられて、開けられたことが検知されたならば（ステップＳ３０８；Ｙｅｓ）、立上処理部１３０ｅは、シャッタ１１５が開けられた状態でロックして（ステップＳ３０９）、図１０（ｄ）に示したようなシャッタ１１５を開いた状態の待機中の画面の表示を行って（ステップＳ３１０）、処理を終了する。シャッタ１１５が開けられたことが検知されなければ（ステップＳ３０８；Ｎｏ）、ステップＳ３０８に戻ることによってシャッタ１１５を開けられることを待ち合わせる。また、ステップＳ３０４で表示された画面の最下部の「シャッタ開」のファンクションボタンに対応する操作が行われない場合（ステップＳ３０５；Ｎｏ）には、ステップＳ３０５に戻ることにより「シャッタ開」のファンクションボタンに対応する操作が行われるのを待ち合わせる。
【０１３０】
また、運用パラメータ１３４ｄの前日全回収実施有無ステータスが前日の回収が全回収であることを示す「有」の場合（ステップＳ３０１；Ｙｅｓ）、又は運用パラメータ１３４ｄの前日全回収実施有無ステータスが前日の回収が残置回収であることを示す「無」で（ステップＳ３０１；Ｎｏ）あっても、硬貨収納部１０６に収められている硬貨が不足していて釣銭準備金の補充が必要と判定され他場合（ステップＳ３０２；Ｙｅｓ）、又は運用パラメータ１３４ｄの残置有時の立ち上げ時シャッタ制御に、前日残置回収を行っている場合であってもシャッタ１１５を開けることを示す「開」が設定されている場合（ステップＳ３０３；Ｎｏ）には、ステップＳ３０４及びステップＳ３０５の処理をスキップしてステップＳ３０６に移行する。
【０１３１】
次に、図２に示した硬貨釣銭機１００のフル検知センサ１０５によりいずれかの硬貨収納部１０６のフルが検知された場合にフル検知状態を回避するための処理の処理手順について図１４に示すフローチャートを用いて説明する。図１４の説明は、入出金処理部１３０ａで実施される処理の処理手順を例として説明するが、この処理は入出金処理部１３０ａ及び補充処理部１３０ｂにより硬貨を硬貨収納部１０６に収納する処理において行われる共通の処理である。
【０１３２】
硬貨の硬貨収納部１０６への収納が終了したときにフル検知センサ１０５のフル検知状況をチェックして、いずれかの硬貨収納部１０６がフルになっていることを検知した場合（ステップＳ４０１；Ｙｅｓ）には、入出金処理部１３０ａは、硬貨在高データ１３４ａとフル判定パラメータ１３４ｃの金種別最大収納枚数に基づいて金種ごとの収納比率を算出する（ステップＳ４０２）。具体的には、硬貨在高データ１３４ａに記憶されている硬貨収納部１０６の枚数のフル判定パラメータ１３４ｃの金種別最大収納枚数に対する割合を金種ごとに算出する。
【０１３３】
ステップＳ４０２で算出した金種別の収納比率の中でフル判定パラメータ１３４ｃのフル基準収納比率を超える金種がある場合（ステップＳ４０３；Ｙｅｓ）には、入出金処理部１３０ａは、フル判定パラメータ１３４ｃの優先度に従って硬貨収納部１０６から硬貨補助収納部１０７に退避する金種を決定する（ステップＳ４０４）。具体的には、ステップＳ４０２で算出した金種別の収納比率の中で、１つの金種の収納比率がフル判定パラメータ１３４ｃのフル基準収納比率を超えている場合にはその金種を退避対象の金種とし、ステップＳ４０２で算出した金種別の収納比率の中で、複数の金種の収納比率がフル判定パラメータ１３４ｃのフル基準収納比率を超えている場合には、フル基準収納比率を超えている金種の内、フル判定パラメータ１３４ｃの優先度が高い金種を退避対象の金種とする。入出金処理部１３０ａは、ステップＳ４０４で決定した退避対象の金種について退避する枚数を決定する（ステップＳ４０５）。具体的には、収納比率がフル判定パラメータ１３４ｃのフル基準収納比率以下になるように退避しなければならない硬貨枚数を算出する。
【０１３４】
ステップＳ４０２で算出した金種別の収納比率の中でフル判定パラメータ１３４ｃのフル基準収納比率を超える金種がない場合（ステップＳ４０３；Ｎｏ）には、入出金処理部１３０ａは、ステップＳ４０２で算出した収納比率が最も高い金種を退避対象の金種と決定する（ステップＳ４０７）。また、入出金処理部１３０ａは、ステップＳ４０７で決定した退避対象の金種の退避をする枚数を所定の枚数とする（ステップＳ４０８）
【０１３５】
入出金処理部１３０ａは、ステップＳ４０４又はステップＳ４０７で決定した金種の硬貨に対応する硬貨収納部１０６から、ステップＳ４０５又はステップＳ４０８で決定した枚数の硬貨を、硬貨補助収納部１０７に搬送して（ステップＳ４０６）、ステップＳ４０１に戻る。また、いずれの硬貨収納部１０６もフルになっていない場合（ステップＳ４０１；Ｎｏ）には、何も処理を行わずに終了する。
【０１３６】
上述してきたように、本実施例では、硬貨釣銭機１００の１日の運用が終了時に行う売上金の回収処理により硬貨受入部１１４が備えるシャッタ１１５を閉じるようにして、翌営業日の立ち上げ時に釣銭準備金の補充処理を行う必要がある場合にはシャッタ１１５を開けるように制御し、釣銭準備金の補充処理を行う必要がない場合には営業時間中に行われる商品の決済処理を開始する直前に操作を受け付けてシャッタ１１５を開けるよう制御するよう構成したので、貨幣処理装置の操作性を確保しつつ、貨幣の受入部からの異物の侵入を抑制することができる。
【０１３７】
なお、上述の本実施例では、シャッタ１１５は手動で開けるものとしたが、本発明はこれに限定されるものではない。例えば、シャッタ１１５の開閉を行う駆動部（例えばモータ）を設けて、自動精査処理及び精算処理開始時にシャッタ１１５が開いている場合には、図８（ａ）若しくは図９（ａ）に示したようにシャッタ１１５を閉めることを促すメッセージを表示する代わりに駆動部でシャッタ１１５を閉じた上で自動精査処理及び精算処理を開始するようにしてもよい。また、立ち上げ時の処理においてシャッタ１１５を開けるよう制御する際にも図１０（ｂ）に示したようにシャッタ１１５を開けることを促すメッセージを表示する代わりに駆動部でシャッタ１１５を開けるようにしてもよい。また、シャッタ１１５の開閉を行う稼働部を設ける場合には、硬貨受入部１１４に対する硬貨を投入する可能性のある処理を実行するときにのみ開けて、処理が終了したら閉じるようにしてもよい。
【０１３８】
また、上述の本実施例では、硬貨釣銭機１００を対象に硬貨を投入する硬貨受入部１１４の開口部分にシャッタ１１５を設けて、該シャッタ１１５の開閉に係る制御を行うものとしたが、本発明はこれに限定されるものではない。紙幣釣銭機２００についても物理的な形状によっては紙幣受入部２１４への異物の侵入しやすい場合があり、その場合には紙幣受入部２１４の開口部にシャッタを設けて、自動精査処理開示時及び精算処理開始時に該シャッタを閉じるように制御し、端末の立ち上げ時に紙幣の釣銭準備金の補充が必要と判定した場合には該シャッタを開けるように制御するようにしてもよい。
【０１３９】
また、上述の本実施例では、硬貨釣銭機１００の硬貨受入部１１４にシャッタ１１５を設けて、自動精査処理中、精算処理中及び精算処理終了後などにおいてシャッタ１１５を完全に閉鎖する例を説明したが、本発明はこれに限定されるものではない。例えば、混入を抑制したい異物の種類によってシャッタ１１５は完全に閉鎖せずに一部開口していても対象となる異物の混入を抑制することができる。また、硬貨投入用のスリット状の硬貨投入口があるシャッタであっても、閉じれば異物の混入を抑制することができる。
【０１４０】
また、上述の本実施例では、商品の決済処理に係るＰＯＳレジスタ３００、硬貨釣銭機１００及び紙幣釣銭機２００を対象に説明を行ってきたが、決済対象の商品には有形の物品だけではなく、サービス等の無形物も含まれる。
【０１４１】
また、上述の実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１４２】
以上のように、本発明に係る貨幣処理装置、貨幣処理システム及び貨幣処理方法は、貨幣処理装置の操作性を確保しつつ、貨幣の受入部からの異物の侵入を抑制することに適している。
【符号の説明】
【０１４３】
１００  硬貨釣銭機
１０１  硬貨識別部
１０３  入金搬送部
１０４ａ  リジェクト硬貨分岐部
１０４ｂ  あふれ硬貨分岐部
１０５  フル検知センサ
１０６  硬貨収納部
１０７  硬貨補助収納部
１０８  出金搬送部
１０９ａ、１０９ｂ  補助搬送路
１１２、３０２  表示部
１１３、３０４  操作部
１１４  硬貨受入部
１１５  シャッタ
１１６  硬貨払出部
１３０、２３０、３３０、４３０  制御部
１３０ａ、２３０ａ  入出金処理部
１３０ｂ、２３０ｂ  補充処理部
１３０ｃ、２３０ｃ  回収処理部
１３０ｄ、２３０ｄ、３３０ｃ  精査処理部
１３０ｅ  立上処理部
１３２、２３２、３３２、４３２  通信部
１３４、２３４、３３４、４３４  記憶部
１３４ａ  硬貨在高データ
１３４ｂ、２３４ｂ  入出金履歴データ
１３４ｃ  フル判定パラメータ
１３４ｄ  運用パラメータ
２００  紙幣釣銭機
２０１  紙幣識別部
２０３ａ  周回搬送部
２０３ｂ  接続搬送部
２０４  出金リジェクト部
２０６  紙幣収納部
２０７  回収カセット
２１４  紙幣受入部
２１４ａ  紙幣受入口
２１６  紙幣払出部
２１６ａ  紙幣取出口
２３４ａ  紙幣在高データ
３００  ＰＯＳレジスタ
３０２ａ  追加表示部
３０６  プリンタ
３０８  バーコードリーダ
３１０  カードリーダ
３３０ａ  履歴情報管理部
３３０ｂ  補充回収処理部
３３０ｄ  商品決済処理部
３３４ａ  在高データ
３３４ｂ  取引履歴データ
４００  棒金収納機
４０１  棒金収納部
４０２  ロック部
４３４ａ  棒金在高データ
７００  ＰＯＳサーバ
【図１】
2016143084.tif 000003
【図２】
2016143084.tif 000004
【図３】
2016143084.tif 000005
【図４】
2016143084.tif 000006
【図５】
2016143084.tif 000007
【図６】
2016143084.tif 000008
【図７】
2016143084.tif 000009
【図８】
2016143084.tif 000010
【図９】
2016143084.tif 000011
【図１０】
2016143084.tif 000012
【図１１】
2016143084.tif 000013
【図１２】
2016143084.tif 000014
【図１３】
2016143084.tif 000015
【図１４】
2016143084.tif 000016